(57)【要約】【課題】交換用制御基板の種類を減少させ、かつ交換用制御基板に対する不正な設定による装置の不正使用を防止できるようにする。【解決手段】交換用制御基板は、第１制御基板が装着されている装着対象装置の機種情報が設定され、かつこの機種情報を変更不可能な機種情報設定部と、機種情報に従って制御対象装置を制御する第１制御手段とを有する第１制御基板の交換用として使用される。交換用制御基板は、装着対象装置の中から第１制御基板を検出する検出手段と、機種情報を記憶する記憶部と、検出手段にて検出された第１制御基板の機種情報設定部に設定されている機種情報を取得し、記憶部に記憶させる機種情報取得手段と、記憶部が記憶している機種情報に従って制御対象装置を制御するとともに、検出手段により第１制御基板が検出されなかった場合に制御対象装置の動作制限を行う第２制御手段とを備える。【選択図】図１
2008116584.tif 000002
【特許請求の範囲】
【請求項１】
第１制御基板が装着されている装着対象装置の機種情報が設定され、かつこの機種情報を変更不可能な機種情報設定部と、前記機種情報に従って制御対象装置を制御する第１制御手段とを有する第１制御基板の交換用制御基板において、
前記装着対象装置の中から前記第１制御基板を検出する検出手段と、
機種情報を記憶する記憶部と、
前記検出手段にて検出された前記第１制御基板の機種情報設定部に設定されている機種情報を取得し、前記記憶部に記憶させる機種情報取得手段と、
前記記憶部が記憶している前記機種情報に従って前記制御対象装置を制御するとともに、前記検出手段により前記第１制御基板が検出されなかった場合に前記制御対象装置の動作制限を行う第２制御手段とを備えていることを特徴とする交換用制御基板。
【請求項２】
機種情報が設定され、かつこの機種情報を変更不可能な機種情報設定部と、
前記機種情報に従って制御対象装置を制御する第１制御手段とを有する第１制御基板を備えている画像形成装置において、
前記第１制御基板に対する交換用制御基板を備え、
前記交換用制御基板は、
画像形成装置に備えられている複数の基板の中から前記第１制御基板を検出する検出手段と、
機種情報を記憶する記憶部と、
前記検出手段にて検出された前記第１制御基板の機種情報設定部に設定されている機種情報を取得し、前記記憶部に記憶させる機種情報取得手段と、
前記記憶部が記憶している前記機種情報に従って前記制御対象装置を制御するとともに、前記検出手段により前記第１制御基板が検出されなかった場合に前記制御対象装置の動作制限を行う第２制御手段とを備えていることを特徴とする画像形成装置。
【請求項３】
第１制御基板が装着されている装着対象装置の機種情報が設定される第１機種情報設定部と、前記機種情報に従って制御対象装置を制御する第１制御手段とを有する第１制御基板の交換用制御基板において、
前記装着対象装置の機種情報が設定される第２機種情報設定部と、
前記装着対象装置の中から前記交換用制御基板を検出する検出手段と、
前記第２機種情報設定部に設定されている前記機種情報に従って前記制御対象装置を制御するとともに、前記検出手段により検出された前記交換用制御基板の数が規定数よりも多い場合に、前記制御対象装置の動作制限を行う第２制御手段とを備えていることを特徴とする交換用制御基板。
【請求項４】
機種情報が設定される第１機種情報設定部と、
前記機種情報に従って制御対象装置を制御する第１制御手段とを有する第１制御基板を備えている画像形成装置において、
前記第１制御基板に対する交換用制御基板を備え、
前記交換用制御基板は、
機種情報が設定される第２機種情報設定部と、
画像形成装置に備えられている複数の基板の中から前記交換用制御基板を検出する検出手段と、
前記第２機種情報設定部に設定されている前記機種情報に従って前記制御対象装置を制御するとともに、前記検出手段により検出された前記交換用制御基板の数が規定数よりも多い場合に、前記制御対象装置の動作制限を行う第２制御手段とを備えていることを特徴とする画像形成装置。
【請求項５】
前記第２制御手段は、前記動作制限として画像形成装置の動作を停止させることを特徴とする請求項２または４に記載の画像形成装置。
【請求項６】
前記第２制御手段は、前記動作制限として画像形成装置の処理速度を設定可能な処理速度のうちの最低速度とすることを特徴とする請求項２または４に記載の画像形成装置。
【請求項７】
前記第２制御手段は、前記動作制限として画像形成装置の寿命制限を設定可能な寿命制限のうちの最低寿命とすることを特徴とする請求項２または４に記載の画像形成装置。
【請求項８】
用紙上に形成された現像剤の像を、現像剤を加熱し溶融させることにより用紙に定着させる定着装置を備え、
前記第２制御手段は、前記動作制限として前記定着装置における定着温度を設定可能な定着温度のうちの最低温度とし、かつ前記定着装置における用紙の搬送速度をその定着温度に応じた速度に設定することを特徴とする請求項２または４に記載の画像形成装置。
【請求項９】
請求項１または３に記載の交換用制御基板の前記の各手段としてコンピュータを機能させるためのプログラム。
【請求項１０】
請求項９に記載のプログラムを記録したコンピュータ読み取り可能な記録媒体。
【発明の詳細な説明】
【技術分野】
【０００１】
本発明は、複写機やプリンタ等の画像形成装置に関するものである。
【背景技術】
【０００２】
画像形成装置としての複写機では、一般に同タイプの機種について低級機から高級機まで備えられている。これら低級機および高級機は例えば低速機および高速機であり、これら両者間では、処理速度や部品寿命など、機能およびそれに伴う使用部品などが相違する。具体的には、モータの仕様、コピースピードが異なり、定着装置では定着温度、定着速度や用紙の搬送速度が異なる。
【０００３】
一方、従来の複写機は各部の制御を行う複数の制御基板を備えており、上記低級機と高級機とでは、各部に対する制御の相違から、異なる制御基板が設けられている。このように製造時の制御基板が異なる場合、故障した場合の交換用としても異なる制御基板（以下、交換用制御基板）が用意されている。したがって、従来では複写機の等級数に応じて交換用制御基板の種類が多量となり、その在庫負担も大きくなっている。
【０００４】
そこで、このような不都合を解消するために、等級の異なる複写機間で交換用制御基板の仕様を共通にするとともに、交換用制御基板に複数の等級に対応した複数の制御用ソフトウエアを搭載しておき、設定により上記制御用ソフトウエアを切り替える構成が提案されている。
【０００５】
例えば、特許文献１では、複数の出力ユニットを備えた構成において、各出力ユニットはそれぞれ共通記録部を内部に有し、各共通記録部は全出力ユニットのパラメータを記憶する。そして、新たに実装された出力ユニットは他の出力ユニットにおける共通記録部のパラメータを自身の共通記録部に複写することにより、他の出力ユニットのパラメータを継承できるようになっている。あるいは、複数の出力ユニットとこれら出力ユニットが接続されたひとつの制御ユニットとを備えた構成において、各出力ユニットはそれぞれ共通記録部を有する。そして、制御ユニットは全出力ユニットの共通記録部に対してパラメータを送信し、そのパラメータを記憶させる。これにより、新たに出力ユニットが実装された場合にも、その出力ユニットを含み全ての出力ユニットの共通記録部に対して、共通のパラメータを設定できるようになっている。
【特許文献１】特開平１１−２１９３３２号公報（平成１１年８月１０日公開）
【発明の開示】
【発明が解決しようとする課題】
【０００６】
ところが、上記従来のように、装置に対して交換のために新たに装着された出力ユニットに、単に、装置において既存の出力ユニットのパラメータを設定する構成では、既存の出力ユニットのパラメータが書き替えられていると、新たに装着された出力ユニットにもその書き替えられたパラメータが設定されることになる。あるいは、制御ユニットが保持するパラメータを書き替えておけば、新たに装着された出力ユニットを含み、全ての出力ユニットのパラメータを書き替え可能となる。このため、装置において不正な設定が可能となる。
【０００７】
上記の不正な設定とは、例えば下位機種（下位ランクの機種）を上位機種（上位ランクの機種）のように高速化したり、部品に設定されている寿命の制限を変更したりすることである。このような不正な設定が行われた場合には、装置の寿命や安全性を保障できなくなる。
【０００８】
具体的には、モータ類は、下位機種のものでは電流容量が小さく低トルクであるのに対して、上位機種のものでは電流容量が大きく高トルクが要求される。また、定着装置のヒートローラは、下位機種のものでは比較的低温に制御されるのに対して、上位機種のものでは比較的高温に制御される。さらに、部品類は、下位機種のものでは寿命が短いのに対して、上位機種のものでは寿命が長くなっている。したがって、下位機種の装置において上位機種の設定をした場合には、モータは過電流が流れ、ヒートローラは過加熱状態となってしまう。また、部品類は寿命を超えて使用されるので、故障が発生し易くなる。そして、このような事態はユーザの不利益につながる。
【０００９】
したがって、本発明は、交換用制御基板の種類を減少させ、かつ交換用制御基板に対する不正な設定による装置の不正使用を防止することができる交換用制御基板、画像形成装置、プログラムおよび記録媒体の提供を目的としている。
【課題を解決するための手段】
【００１０】
上記の課題を解決するために、本発明の交換用制御基板は、第１制御基板が装着されている装着対象装置の機種情報が設定され、かつこの機種情報を変更不可能な機種情報設定部と、前記機種情報に従って制御対象装置を制御する第１制御手段とを有する第１制御基板の交換用制御基板において、前記装着対象装置の中から前記第１制御基板を検出する検出手段と、機種情報を記憶する記憶部と、前記検出手段にて検出された前記第１制御基板の機種情報設定部に設定されている機種情報を取得し、前記記憶部に記憶させる機種情報取得手段と、前記記憶部が記憶している前記機種情報に従って前記制御対象装置を制御するとともに、前記検出手段により前記第１制御基板が検出されなかった場合に前記制御対象装置の動作を制限する第２制御手段とを備えていることを特徴としている。
【００１１】
また、本発明の画像形成装置は、機種情報が設定され、かつこの機種情報を変更不可能な機種情報設定部と、前記機種情報に従って制御対象装置を制御する第１制御手段とを有する第１制御基板を備えている画像形成装置において、前記第１制御基板に対する交換用制御基板を備え、前記交換用制御基板は、画像形成装置に備えられている複数の基板の中から前記第１制御基板を検出する検出手段と、機種情報を記憶する記憶部と、前記検出手段にて検出された前記第１制御基板の機種情報設定部に設定されている機種情報を取得し、前記記憶部に記憶させる機種情報取得手段と、前記記憶部が記憶している前記機種情報に従って前記制御対象装置を制御するとともに、前記検出手段により前記第１制御基板が検出されなかった場合に前記制御対象装置の動作を制限する第２制御手段とを備えていることを特徴としている。
【００１２】
上記の構成によれば、交換用制御基板が装着対象装置（画像形成装置）に装着された場合、検出手段は、装着対象装置（画像形成装置）の中から、機種情報が設定され、かつこの機種情報を変更不可能な機種情報設定部を有する第１制御基板を検出する。機種情報取得手段は、検出手段にて検出された第１制御基板の機種情報設定部に設定されている機種情報を記憶部、例えば書き換え可能かつ不揮発性の記憶装置に記憶させる。第２制御手段は、記憶部に記憶されている機種情報に従って、装着対象装置（画像形成装置）の中の制御対象装置を制御する。また、第２制御手段は、検出手段により第１制御基板が検出されなかった場合に制御対象装置（画像形成装置）の動作を制限する。
【００１３】
上記のように、第１制御基板に設定されている機種情報は変更できず、この機種情報が作業者、例えばサービスマンによって変更されることはない。また、工場からの装着対象装置（画像形成装置）の出荷後に、装着対象装置（画像形成装置）に新たに交換用制御基板が設置された場合、装着対象装置（画像形成装置）に第１制御基板が少なくとも一つ存在していれば、その第１制御基板に設定されている機種情報が自動的に交換用制御基板の記憶部に格納される。
【００１４】
これにより、交換用制御基板は、装着対象装置（画像形成装置）の上位機種と下位機種とで共通のものとして、種類を減少させることができ、かつ例えば下位機種の装着対象装置（画像形成装置）において交換用制御基板を上位機種のものとして設定するような、不正な設定を防止することができる。
【００１５】
また、装着対象装置（画像形成装置）において第１制御基板が存在しない場合には、装着対象装置（画像形成装置）に動作制限が設定されるので、下位機種の装着対象装置（画像形成装置）において、第１制御基板を全て交換用制御基板に交換し、これら交換用制御基板に上位機種の機種情報を設定して装着対象装置（画像形成装置）を上位機種のように動作させるといった不正な設定をさらに確実に防止することができる。
【００１６】
また、本発明の交換用制御基板は、第１制御基板が装着されている装着対象装置の機種情報が設定される第１機種情報設定部と、前記機種情報に従って制御対象装置を制御する第１制御手段とを有する第１制御基板の交換用制御基板において、前記装着対象装置の機種情報が設定される第２機種情報設定部と、前記装着対象装置の中から前記交換用制御基板を検出する検出手段と、前記第２機種情報設定部に設定されている前記機種情報に従って前記制御対象装置を制御するとともに、前記検出手段により検出された前記交換用制御基板の数が規定数よりも多い場合に、前記制御対象装置の動作制限を行う第２制御手段とを備えていることを特徴としている。
【００１７】
また、本発明の画像形成装置は、機種情報が設定される第１機種情報設定部と、前記機種情報に従って制御対象装置を制御する第１制御手段とを有する第１制御基板を備えている画像形成装置において、前記第１制御基板に対する交換用制御基板を備え、前記交換用制御基板は、機種情報が設定される第２機種情報設定部と、画像形成装置に備えられている複数の基板の中から前記交換用制御基板を検出する検出手段と、前記第２機種情報設定部に設定されている前記機種情報に従って前記制御対象装置を制御するとともに、前記検出手段により検出された前記交換用制御基板の数が規定数よりも多い場合に、前記制御対象装置の動作制限を行う第２制御手段とを備えていることを特徴としている。
【００１８】
上記の構成によれば、交換用制御基板が装着対象装置（画像形成装置）に装着された場合、検出手段は、装着対象装置（画像形成装置）の中から交換用制御基板を検出する。第２制御手段は、第２機種情報設定部に設定されている機種情報に従って、装着対象装置（画像形成装置）の中の制御対象装置を制御する。また、第２制御手段は、検出手段により検出された交換用制御基板の数が規定数よりも多い場合に、制御対象装置（画像形成装置）の動作を制限する。
【００１９】
上記のように、装着対象装置（画像形成装置）では、工場からの出荷後に、第１制御基板を交換用制御基板に交換することができる。この場合、交換用制御基板は、装着対象装置（画像形成装置）の上位機種と下位機種とで共通に使用できるので、種類を減少させることができる。
【００２０】
また、装着対象装置（画像形成装置）において交換用制御基板の数が規定数よりも多い場合には、制御対象装置（画像形成装置）の動作制限が設定されるので、下位機種の装着対象装置（画像形成装置）において、第１制御基板の多くを交換用制御基板に交換し、これら交換用制御基板に上位機種の機種情報を設定して装着対象装置（画像形成装置）を上位機種のように動作させるといった不正な設定を防止することができる。
【００２１】
上記の画像形成装置において、前記第２制御手段は、前記動作制限として画像形成装置の動作を停止させる構成としてもよい。
【００２２】
上記の構成によれば、第２制御手段は、動作制限として制御対象装置の動作を停止させることにより、画像形成装置の動作を停止させる。なお、この処理を１個の交換用制御基板の動作で行えない場合には、他の制御基板と協力して行ってもよい。
【００２３】
上記の画像形成装置において、前記第２制御手段は、前記動作制限として画像形成装置の処理速度を設定可能な処理速度のうちの最低速度とする構成としてもよい。
【００２４】
上記の構成によれば、第２制御手段は、動作制限として制御対象装置の処理速度を設定可能な処理速度のうちの最低速度とすることにより、画像形成装置の処理速度（例えば画像形成装置が備えるスキャナのスキャン速度、あるいは印刷速度）を設定可能な処理速度のうちの最低速度とする。なお、設定可能な処理速度のうちの最低速度とは、例えば、画像形成装置の機種のうち、最低ランクの機種の処理速度である。また、処理速度を最低速度とするのは、例えば画像処理装置が備えるモータの回転速度を設定可能な最低速度とすることにより行う。さらに、上記の処理を１個の交換用制御基板の動作で行えない場合には、他の制御基板と協力して行ってもよい。
【００２５】
上記の画像形成装置において、前記第２制御手段は、前記動作制限として画像形成装置の寿命制限を設定可能な寿命制限のうちの最低寿命とする構成としてもよい。
【００２６】
上記の構成によれば、第２制御手段は、動作制限として制御対象装置の寿命制限を設定可能な寿命制限のうちの最低寿命とすることにより、画像形成装置の寿命制限を設定可能な寿命制限のうちの最低寿命とする。なお、設定可能な寿命制限のうちの最低寿命とは、例えば、画像形成装置の機種のうち、最低ランクの機種に設けられている部品の寿命制限である。また、この処理を１個の交換用制御基板の動作で行えない場合には、他の制御基板と協力して行ってもよい。
【００２７】
上記の画像形成装置は、用紙上に形成された現像剤の像を、現像剤を加熱し溶融させることにより用紙に定着させる定着装置を備え、前記第２制御手段は、前記動作制限として前記定着装置における定着温度を設定可能な定着温度のうちの最低温度とし、かつ前記定着装置における用紙の搬送速度をその定着温度に応じた速度に設定する構成としてもよい。
【００２８】
上記の構成によれば、第２制御手段は、動作制限として定着装置における定着温度を設定可能な定着温度のうちの最低温度とし、かつ前記定着装置における用紙の搬送速度をその定着温度に応じた速度に設定する。なお、設定可能な定着温度のうちの最低温度とは、例えば、画像形成装置の機種のうち、最低ランクの機種に設けられている定着装置の定着温度である。また、この処理を１個の交換用制御基板の動作で行えない場合には、他の制御基板と協力して行ってもよい。
【発明の効果】
【００２９】
以上のように、本発明の構成によれば、交換用制御基板は、装着対象装置（画像形成装置）の上位機種と下位機種とで共通のものとして、種類を減少させることができ、かつ例えば下位機種の装着対象装置（画像形成装置）において交換用制御基板を上位機種のものとして設定するような、不正な設定を防止することができる。
【００３０】
また、装着対象装置（画像形成装置）において第１制御基板が存在しない場合には、装着対象装置（画像形成装置）に動作制限が設定されるので、下位機種の装着対象装置（画像形成装置）において、第１制御基板を全て交換用制御基板に交換し、これら交換用制御基板に上位機種の機種情報を設定して装着対象装置（画像形成装置）を上位機種のように動作させるといった不正な設定をさらに確実に防止することができる。
【発明を実施するための最良の形態】
【００３１】
〔実施の形態１〕
本発明の一実施形態について図面に基づいて以下に説明する。図４は、本実施の形態における画像処理装置としての画像形成装置（装着対象装置）１の構成を示す縦断面図である。図４に示すように、画像形成装置１は、画像読み取り部２、画像形成部３、給紙部４および後処理装置５を備えている。
【００３２】
画像読み取り部２は、透明ガラスからなる原稿載置台１１、原稿載置台１１上へ自動的に原稿を供給するための両面対応自動原稿送り装置（ＲＡＤＦ）１２、原稿載置台１１上に載置された原稿の画像を走査して読み取るためのスキャナユニット（原稿画像読み取りユニット）１３を備えている。
【００３３】
ＲＡＤＦ１２は、所定の原稿トレイ上に複数枚の原稿を一度にセットしておき、セットされた原稿を１枚ずつ自動的にスキャナユニット１３の原稿載置台１１上へ送給する公知の装置である。そして、ＲＡＤＦ１２は、使用者の選択に応じて原稿の片面または両面をスキャナユニット１３に読み取らせるように、片面原稿のための搬送経路、両面原稿のための搬送経路、搬送経路切替え部を備えている。
【００３４】
スキャナユニット１３は、原稿面上を露光するランプリフレクタアセンブリ、第１走査ユニット１４、第２走査ユニット１５および光学レンズ体１６を備えている。第１走査ユニット１４は、原稿からの反射光像を電気的画像信号に変換する光電変換素子（ＣＣＤ）１７に導くための第１反射ミラーを搭載している。第２走査ユニット１５は、第１反射ミラーと同じ目的の第２、第３反射ミラーを搭載している。光学レンズ体１６は、原稿からの反射光像をＣＣＤ１７上に結像する。第１走査ユニット１４は原稿載置台１１に沿って左から右へ一定速度Ｖで走行し、第２走査ユニット１５はＶ／２の速度で同一方向に走行するように制御される。
【００３５】
画像読み取り部２では、ＲＡＤＦ１２とスキャナユニット１３との連携動作により、原稿載置台１１上に読み取るべき原稿を順次載置させながら、原稿載置台１１の下面に沿ってスキャナユニット１３を移動させて、原稿載置台１１上に載置された原稿の画像を１ライン毎に順次ＣＣＤ１７に結像させて、原稿画像を読み取る。
【００３６】
原稿画像をスキャナユニット１３で読み取ることにより得られた画像データは、各種処理が施された後、メモリに一旦記憶され、出力指示に応じてメモリから画像データを画像形成部３に出力して、感光体ドラム２２上に可視画像として再現した後、用紙上に画像を転写してトナー像を形成する。
【００３７】
この画像形成部３は、レーザ書き込みユニット（ＬＳＵ）２１および画像を形成するための電子写真プロセス部２０を備えている。レーザ書き込みユニット２１は、メモリから読み出した画像データまたはパーソナルコンピュータ等の外部機器から転送されてきた画像データに応じてレーザ光を出射する半導体レーザ、レーザ光を等角速度偏向するポリゴンミラー、等角速度偏向されたレーザ光が電子写真プロセス部２０の感光体ドラム２２上を等速度で走査するように補正するｆ−θレンズ等を有している。
【００３８】
電子写真プロセス部２０では、周知の態様に従い、感光体ドラム２２の周囲に、帯電装置２３、現像装置２４、転写装置２５、剥離装置２６、クリーニング装置２７および除電装置が配置され、さらに感光体ドラム２２に対する用紙搬送方向の下流側に定着装置２８が配置されている。
【００３９】
給紙部４は、第１〜第３カセット３１〜３３、大容量カセット３４、手差しトレイ３５および給紙搬送部３７，３８を備えている。
【００４０】
第１カセット３１は、第１のトレイおよび第２のトレイを収容するタンデムトレイで、両トレイを装置本体から同時に引き出し可能となっている。第２カセット３２および第３カセット３３は、それぞれ第３のトレイ、第４のトレイを収容する。大容量カセット３４はオプションであり、第５のトレイとして付加されている。給紙搬送部３７，３８は、給紙部４から感光体ドラム２２と転写装置２５との間の転写位置に用紙を搬送するために、給紙ローラ、搬送ローラ、レジストローラを備えている。
【００４１】
給紙部４における第１〜第３カセット３１〜３３内の４つのトレイおよび大容量カセット３４には、用紙がサイズ毎に積載されて収容されており、使用者が所望するサイズの用紙が収容されているカセットあるいはトレイを選択すると、そのトレイ内の用紙束の上から用紙が１枚ずつ送り出され、給紙搬送部３７，３８の搬送経路を経由して順次電子写真プロセス部２０へ向けて搬送される。
【００４２】
定着装置２８より用紙搬送方向の下流側には、用紙排出路２９が設けられており、この用紙排出路２９は、後処理装置５の排紙搬送路４１と両面複写のための再給紙搬送部４２とに分岐している。
【００４３】
レーザ書き込みユニット２１および電子写真プロセス部２０において、メモリから読み出された画像データは、レーザ書き込みユニット２１によってレーザ光線を走査させることにより感光体ドラム２２の表面上に静電潜像として形成され、現像装置２４のトナーにより可視像化されたトナー像は給紙部４から搬送された用紙の表面上に転写装置２５により静電転写され、定着装置２８によって定着される。
【００４４】
このようにして画像が形成された用紙は定着装置２８から後処理装置５もしくは両面複写のための再給紙搬送部４２へと選択的に搬送される。あるいは、排紙トレイ４５に排出される。後処理装置５に送られた用紙は、必要に応じてソートあるいはステープル処理等の所定の処理が施され、第１排出卜レイ４３または第２排出卜レイ４４にスタックされる。また、両面複写の再給紙搬送部４２に送られた用紙は、ここで反転され再び電子写真プロセス部２０に搬送されて、用紙の裏面に画像が形成され、定着後排出される。
【００４５】
画像形成装置１は、複写機、プリンタおよびファクシミリとしての機能を備えた複合機であり、製造時においては図２（ａ）もしくは図２（ｂ）の構成を有する。図２（ａ）は画像形成装置１が高速機（上位機種）である場合の製造時の構成を示すブロック図であり、図２（ｂ）は画像形成装置１が低速機（下位機種）である場合の製造時の構成を示すブロック図である。
【００４６】
画像形成装置１は、高速機である場合、図２（ａ）に示すように、当初設置基板Ａ（第１制御基板）としてメイン制御基板Ａａ１０１、画像処理基板Ａａ１０２、スキャナ制御基板Ａａ１０３、プリンタ制御基板Ａａ１０４およびファックス制御基板Ａａ１０５を備えるとともに、制御対象装置として定着ユニットＡａ１０６、現像ユニットＡａ１０７、駆動系ユニットＡａ１０８およびトナーボトルＡａ１０９を備えている。同様に、画像形成装置１は、低速機である場合、図２（ｂ）に示すように、当初設置基板Ａとしてメイン制御基板Ａｂ１２１、画像処理基板Ａｂ１２２、スキャナ制御基板Ａｂ１２３、プリンタ制御基板Ａｂ１２４およびファックス制御基板Ａｂ１２５を備えると共に、制御対象装置として定着ユニットＡｂ１２６、現像ユニットＡｂ１２７、駆動系ユニットＡｂ１２８およびトナーボトルＡｂ１２９を備えている。
【００４７】
メイン制御基板Ａａ１０１，Ａｂ１２１は、画像形成装置１の全体動作を監視し、制御するものである。画像処理基板Ａａ１０２，Ａｂ１２２は、画像形成装置１における画像処理動作を制御するものである。スキャナ制御基板Ａａ１０３，Ａｂ１２３は、スキャナとしての画像読み取り部２の動作を制御するものである。プリンタ制御基板Ａａ１０４，Ａｂ１２４は、画像形成装置１が備える、画像形成部３を含むプリンタとしての機能を制御するものである。ファックス制御基板Ａａ１０５，Ａｂ１２５は、画像形成装置１が備えるファクシミリ機能を制御するものである。定着ユニットＡａ１０６，Ａｂ１２６は図４に示した定着装置２８に相当する。現像ユニットＡａ１０７，Ａｂ１２７は、図４に示した現像装置２４に相当する。駆動系ユニットＡａ１０８，Ａｂ１２８は、画像形成装置１が備える各種駆動系を示すものである。トナーボトルＡａ１０９，Ａｂ１２９は、現像装置２４にトナーを供給する例えばカートリッジ式のトナー収納容器である。
【００４８】
図３は、図２（ａ）に示したメイン制御基板Ａａ１０１、画像処理基板Ａａ１０２、スキャナ制御基板Ａａ１０３、プリンタ制御基板Ａａ１０４およびファックス制御基板Ａａ１０５、並びに図２（ｂ）に示したメイン制御基板Ａｂ１２１、画像処理基板Ａｂ１２２、スキャナ制御基板Ａｂ１２３、プリンタ制御基板Ａｂ１２４およびファックス制御基板Ａｂ１２５の構成を示すブロック図である。ここでは、これら基板を便宜上いずれも制御基板Ａ（当初設置基板Ａ）１３１として扱う。
【００４９】
制御基板Ａ１３１は、ＣＰＵ(Central Processing Unit)１３２、ＲＯＭ(Read Only Memory)１３３、ＲＡＭ(Random Access Memory)１３４、Ｉ／Ｏ（Input/Output;入出力装置）１３５およびＲＯＭ１３６を備えている。
【００５０】
ＲＯＭ（第１制御手段）１３３は、ＣＰＵ（第１制御手段）１３２による制御対象機器の制御用のプログラムを記憶している。ＲＡＭ１３４はＣＰＵ１３２が制御動作を行う場合の一時的な記憶領域として使用される。ＲＯＭ１３６は、制御基板Ａ１３１が取り付けられている装置の機種情報を記憶している。さらに、制御基板Ａ１３１が当初設置基板Ａであることを示す種別情報（種別：Ａ）を記憶している。
【００５１】
上記機種情報は、画像形成装置１が上位機種と下位機種との何れであるのかという情報を含んでいる。なお、ここでは、便宜上、画像形成装置１には上位機種と下位機種との２ランクが存在する場合について説明しているが、これに限定されず、画像形成装置１の機種には３以上のランクが存在していてもよい。
【００５２】
ＣＰＵ１３２は、ＲＯＭ（機種情報設定部、第１機種情報設定部）１３６が記憶している機種情報を参照し、ＲＯＭ１３３が記憶している前記プログラムに従って、制御対象機器（制御対象装置）の動作を制御する。この場合の制御は、上記機種情報が上位機種を示すものであれば上位機種に応じた制御となり、上記機種情報が下位機種を示すものであれば下位機種に応じた制御となる。
【００５３】
図３に示した制御基板Ａ１３１の構成を機能的手段により示すと図８のブロック図のようになる。同図において、制御基板Ａ１３１は制御部（第１制御手段）４１１および機種情報設定部４１２を備えている。制御部４１１は、機種情報設定部４１２に設定されている機種情報に従って制御対象装置４１３を制御する。
【００５４】
ここで、本実施の形態において、画像形成装置１には、制御基板Ａ１３１が例えば故障した場合の交換用制御基板Ｂとして、それぞれの制御基板Ａ１３１ごとに図１（ｂ）に示す制御基板Ｂ(交換用制御基板)１４１が用意されている。図１（ｂ）は、図３に示した制御基板Ａ１３１に対する交換用の制御基板Ｂ１４１を示すブロック図である。
【００５５】
図１（ｂ）に示すように、制御基板Ｂ１４１は、図３に示した制御基板Ａ１３１のＣＰＵ１３２、ＲＯＭ１３３、ＲＡＭ１３４、Ｉ／Ｏ１３５およびＲＯＭ１３６に対応するＣＰＵ（検出手段、機種情報取得手段、第２制御手段）１４２、ＲＯＭ（第２制御手段）１４３、ＲＡＭ１４４、Ｉ／Ｏ１４５およびフラッシュメモリ（記憶部）１４６を備えている。ただし、制御基板Ｂ１４１は、制御基板Ａ１３１がＲＯＭ１３６を備えているのに対して、書き替え可能かつ不揮発性のメモリとしてフラッシュメモリ１４６を備えている。
【００５６】
フラッシュメモリ１４６は、制御基板Ｂ１４１が交換用制御基板Ｂであることを示す種別情報（種別：Ｂ）を記憶している。また、フラッシュメモリ１４６において、機種情報は、当初は未設定であり、制御基板Ｂ１４１が画像形成装置１に取り付けられた場合にＣＰＵ１４２により設定される。そして、ＣＰＵ１４２は、フラッシュメモリ１４６が記憶している機種情報を参照し、ＲＯＭ１４３が記憶しているプログラムに従って、制御対象機器の動作を制御する。この場合の制御は、制御基板Ａ１３１の場合と同様に、上記機種情報が上位機種を示すものであれば上位機種に応じた制御となり、上記機種情報が下位機種を示すものであれば下位機種に応じた制御となる。
【００５７】
図１（ａ）は、図２（ｂ）に示した、画像形成装置１が下位機種である場合の構成において、一部の当初設置基板Ａが交換用制御基板Ｂに交換された状態を示すブロック図である。図１（ａ）の状態では、図２（ｂ）におけるスキャナ制御基板Ａｂ１２３とプリンタ制御基板Ａｂ１２４とがそれぞれの交換用制御基板Ｂとして用意されていた制御基板Ｂ１４１に交換されている。これら制御基板Ｂ１４１は、画像形成装置１に設置された後、それぞれスキャナ制御基板Ｂｂ２２３およびプリンタ制御基板Ｂｂ２２４として機能する。
【００５８】
図１（ｂ）に示した制御基板Ｂ１４１の構成を機能的手段により示すと図９のブロック図のようになる。同図において、制御基板Ｂ１４１は、制御部（第２制御手段）５１１、検出部（検出手段）５１２、記憶部５１３および機種情報取得部（機種情報取得手段）５１４を備え、制御対象装置４１３を制御する。検出部５１２は、画像形成装置１の中から制御基板Ａ１３１を検出する。機種情報取得部５１４は、検出部５１２にて検出された制御基板Ａ１３１の機種情報設定部４１２（図８）に設定されている機種情報を取得し、記憶部５１３に記憶させる。制御部５１１は、記憶部５１３が記憶している機種情報に従って制御対象装置４１３を制御するとともに、検出部５１２により制御基板Ａ１３１が検出されなかった場合に制御対象装置４１３の動作制限を行う。
【００５９】
上記の構成において、画像形成装置１における複数の制御基板Ａ（当初設置基板Ａ）１３１のうちのいずれか１個または複数個が交換用制御基板Ｂすなわち制御基板Ｂ１４１に交換された場合における画像形成装置１（制御基板Ｂ１４１）の動作を図５に基づいて以下に説明する。
【００６０】
画像形成装置１が例えば低速機（下位機種）である場合に、当初設置基板Ａ（メイン制御基板Ａｂ１２１、画像処理基板Ａｂ１２２、スキャナ制御基板Ａｂ１２３、プリンタ制御基板Ａｂ１２４およびファックス制御基板Ａｂ１２５）のうちのいずれか１個または複数個が交換用制御基板Ｂ（制御基板Ｂ１４１）に交換されると、画像形成装置１に設置された１個または複数個の制御基板Ｂ１４１のＣＰＵ１４２は、画像形成装置１に設置されている当初設置基板Ａを検索し、その当初設置基板ＡのＲＯＭ１３６が記憶する機種情報をフラッシュメモリ１４６に取り込む。一方、画像形成装置１に当初設置基板Ａが存在しない場合、制御基板Ｂ１４１のＣＰＵ１４２は、制御対象装置に対して動作制限を行う。具体的には画像形成装置１において図５の処理が行われる。なお、図５の処理は一例であり、複数の当初設置基板Ａを検索する順序は特に限定されない。また、図５の処理は、例えば、制御基板Ｂ１４１を設置後の画像形成装置１の最初の電源投入時に行われる。
【００６１】
図５に示すように、制御基板Ｂ１４１のＣＰＵ１４２は、先ずメイン制御基板Ａｂ１２１（ＭＣＵ）が当初設置基板（基板Ａ）であるか否か判定し（Ｓ１１）、その判定結果がＹＥＳであれば、メイン制御基板Ａｂ１２１（ＭＣＵ）のＲＯＭ１３６（図３）から機種情報を取得し（Ｓ１２）、それをフラッシュメモリ１４６に格納する。
【００６２】
制御基板Ｂ１４１のＣＰＵ１４２は、Ｓ１１での判定結果がＮＯであれば、次に画像処理基板Ａｂ１２２（ＩＰＵ）が当初設置基板（基板Ａ）であるか否か判定し（Ｓ１３）、その判定結果がＹＥＳであれば、画像処理基板Ａｂ１２２（ＩＰＵ）のＲＯＭ１３６から機種情報を取得し（Ｓ１４）、それをフラッシュメモリ１４６に格納する。以下、当初設置基板Ａが見つかるまで、同様にしてＳ１５〜Ｓ２０の処理を行う。
【００６３】
一方、Ｓ１１〜Ｓ２０までの処理を行った結果、画像形成装置１において当初設置基板Ａが見つからなかった場合、画像形成装置１において動作制限が設定される。この動作制限は、制御基板Ｂ１４１のＣＰＵ１４２が制御対象装置に対してその動作を制限するものである。あるいは制御基板Ｂ１４１のＣＰＵ１４２からの当初設置基板Ａが見つからないという検索結果を受けて、メイン制御基板Ａｂ１２１のＣＰＵ１４２が画像形成装置１の各機能部の動作を制限するものである。
【００６４】
この動作制限の具体的内容としては、例えば、画像形成装置１の動作を停止させること、画像形成装置１の処理速度を設定可能な速度の最低速度とすること、画像形成装置１の寿命制限を設定可能な寿命制限の最低寿命とすること、定着ユニットＡｂ１２６（定着装置２８）の定着温度を設定可能な定着温度の最低温度とし、かつ定着ユニットＡｂ１２６における用紙の搬送速度をその定着温度に応じた速度に設定すること、あるいは画像形成装置１のモータ回転速度を設定可能な回転速度の最低速度とすることである。
【００６５】
なお、上記動作制限のうち、寿命制限を最低寿命とすることは、画像形成装置１の寿命を、例えば、画像形成装置１のラインナップのうち、最下位ランクの機種に設けられている部品の寿命に設定することである。同様に、定着温度を最低温度とし、かつ用紙の搬送速度をその定着温度に応じた温度に設定すること、およびモータ回転速度を最低速度とすることは、それら設定を、例えば、画像形成装置１のラインナップのうち、最下位ランクの機種のものにすることである。
【００６６】
上記の構成によれば、制御基板Ａ１３１（当初設置基板Ａ）に設定されている機種情報は、ＲＯＭ１３６に格納されているので書き替えできず、この機種情報が作業者、例えばサービスマンによって書き替えられることはない。また、工場からの画像形成装置１の出荷後に画像形成装置１に新たに設置された制御基板Ｂ１４１（交換用制御基板Ｂ）においては、画像形成装置１に制御基板Ａ１３１（当初設置基板Ａ）が少なくとも一つ存在していれば、その制御基板Ａ１３１に設定されている機種情報が自動的に取り込まれ、フラッシュメモリ１４６に格納される。したがって、本実施の形態の構成では、上位機種と下位機種とで交換用制御基板Ｂを共通にして交換用制御基板Ｂの種類を減少させることができる。さらに、例えば下位機種の画像形成装置１において交換用制御基板Ｂを上位機種のものとして設定するような、交換用制御基板Ｂに対する不正な設定を防止することができる。
【００６７】
また、画像形成装置１において制御基板Ａ１３１（当初設置基板Ａ）が存在しない場合、すなわち全ての制御基板Ａ１３１が制御基板Ｂ１４１（交換用制御基板Ｂ）に交換されている場合には、画像形成装置１に動作制限が設定される。したがって、下位機種の画像形成装置１において、制御基板Ａ１３１（当初設置基板Ａ）を全て制御基板Ｂ１４１（交換用制御基板Ｂ）に交換し、この制御基板Ｂ１４１に上位機種の機種情報を設定して画像形成装置１を上位機種のように動作させるといった不正な設定をさらに確実に防止することができる。
【００６８】
〔実施の形態２〕
本発明の他の実施の形態を図面に基づいて以下に説明する。本実施の形態の画像形成装置１には、交換用制御基板Ｂとして、図１（ｂ）に示した制御基板Ｂ１４１に代えて図６に示す制御基板Ｂ(交換用制御基板)３１１が用意されている。制御基板Ｂ３１１は、ＣＰＵ（検出手段、第２制御手段）３１２、ＲＯＭ（第２制御手段）３１３、ＲＡＭ３１４、Ｉ／Ｏ３１５およびディップスイッチ（ＤＩＰ  ＳＷ：第２機種情報設定部）３１６を備えている。ＲＯＭ３１３は、ＣＰＵ１３２による制御対象機器の制御用のプログラムを記憶している。さらに、制御基板Ｂ３１１が交換用制御基板Ｂであることを示す種別情報（種別：Ｂ）を記憶している。
【００６９】
制御基板Ｂ３１１は、制御基板Ｂ１４１がフラッシュメモリ１４６を備えているのに対してディップスイッチ３１６を備えている。ディップスイッチ３１６は、手動操作により切り替え可能なスイッチであり、切り替え動作により前記機種情報を設定可能となっている。
【００７０】
図６に示した制御基板Ｂ３１１の構成を機能的手段により示すと図１０のブロック図のようになる。同図において、制御基板Ｂ３１１は、制御部（第２制御手段）６１１、検出部（検出手段）６１２および機種情報設定部６１３を備え、制御対象装置４１３を制御する。
【００７１】
上記の構成において、画像形成装置１における複数の当初設置基板Ａのうちのいずれか１個または複数個が交換用制御基板Ｂすなわち制御基板Ｂ３１１に交換された場合における画像形成装置１の動作を図７に基づいて以下に説明する。
【００７２】
画像形成装置１が例えば低速機（下位機種）である場合に、当初設置基板Ａ（メイン制御基板Ａｂ１２１、画像処理基板Ａｂ１２２、スキャナ制御基板Ａｂ１２３、プリンタ制御基板Ａｂ１２４およびファックス制御基板Ａｂ１２５）のうちのいずれか１個または複数個が交換用制御基板Ｂ（制御基板Ｂ３１１）に交換されると、画像形成装置１に設置された１個または複数個の制御基板Ｂ３１１のＣＰＵ３１２は、画像形成装置１に設置されている全ての制御基板について交換用制御基板Ｂであるか当初設置基板Ａであるかを調べる。そして、交換用制御基板Ｂの数が所定数（規定数）を超えている場合（当初設置基板Ａの数が所定数以下である場合）に、画像形成装置１において前記動作制限が設定される。一方、交換用制御基板Ｂの数が所定数以下である場合（当初設置基板Ａの数が所定数を超えている場合）に、制御基板Ｂ３１１のＣＰＵ３１２は、ディップスイッチ３１６の設定に基づいて機種情報を取得する。具体的には画像形成装置１において図７の処理が行われる。なお、図７の処理は一例であり、複数の制御基板を検索する順序は特に限定されない。また、図７の処理は、例えば、制御基板Ｂ３１１を設置後の画像形成装置１の最初の電源投入時に行われる。
【００７３】
図７に示すように、制御基板Ｂ３１１のＣＰＵ３１２は、交換用制御基板Ｂ（制御基板Ｂ３１１）の数を示すｎを０に設定する（Ｓ３１）。次に、メイン制御基板Ａｂ１２１（ＭＣＵ）が交換用制御基板Ｂ（基板Ｂ）であるか否か判定し（Ｓ３２）、その判定結果がＹＥＳであれば、ｎに１を加算する（Ｓ３３）。
【００７４】
次に、制御基板Ｂ３１１のＣＰＵ３１２は、画像処理基板Ａｂ１２２（ＩＰＵ）が交換用制御基板Ｂ（基板Ｂ）であるか否か判定し（Ｓ３４）、その判定結果がＹＥＳであれば、ｎに１を加算する（Ｓ３５）。
【００７５】
以下、同様にして全ての制御基板を調べて適宜ｎを加算して行き（Ｓ３６〜Ｓ４１）、画像形成装置１に設置されている交換用制御基板Ｂの数ｎを求める。
【００７６】
その後、ｎが所定数（図７の例では４）を超えているか否かを判定し（Ｓ４２）、ｎが所定数を超えていれば、画像形成装置１において前記動作制限を設定する（Ｓ４３）。一方、ｎが所定数以下であれば、ＣＰＵ３１２は、ディップスイッチ３１６の設定から機種情報を取得し（Ｓ４４）、制御対象装置に対してその機種情報に従った制御を行う。
【００７７】
上記の構成によれば、工場からの画像形成装置１の出荷後に画像形成装置１に新たに設置された制御基板Ｂ３１１（交換用制御基板Ｂ）の数が規定数を超えた場合には、画像形成装置１に動作制限が設定される。したがって、下位機種の画像形成装置１において、制御基板Ａ１３１（当初設置基板Ａ）の多くを制御基板Ｂ３１１（交換用制御基板Ｂ）に交換し、この制御基板Ｂ３１１に上位機種の機種情報を設定して画像形成装置１を上位機種のように動作させるといった不正な設定を確実に防止することができる。
【００７８】
なお、本実施の形態の画像形成装置１では、制御基板Ｂ３１１（交換用制御基板Ｂ）の数が規定数以下の場合に、制御基板Ｂ３１１のＣＰＵ３１２は、サービスマンが手動操作可能なディップスイッチ３１６の設定から機種情報を読み取り、その機種情報に基づく制御を行うようになっている。これは、例えば下位機種の画像形成装置１において、仮に一部の少数の制御基板Ｂ３１１のみが上位機種の設定になっている場合であっても、画像形成装置１が上位機種の動作を行えないことによる。具体的には、例えば、制御基板間のデータ通信方式や通信するデータの種類が上位機種と下位機種とでは異なるため、一部の制御基板Ｂ３１１のみを上位機種の設定にしてもＣＰＵがハングアップするか、もしくは通信エラーとなってしまい、画像形成装置１全体としては動作しないためである。
【００７９】
したがって、本実施の形態の構成では、上位機種と下位機種とで交換用制御基板Ｂを共通にして交換用制御基板Ｂの種類を減少させることができ、かつ例えば下位機種の画像形成装置１において交換用制御基板Ｂを上位機種のものとして設定し、画像形成装置１を上位機種として動作させるような不正使用を防止することができる。
【００８０】
最後に、制御基板Ｂ１４１，３１１の各ブロックは、ハードウェアロジックによって構成してもよいし、ＣＰＵを用いてソフトウエアによって実現してもよい。
【００８１】
すなわち、制御基板Ｂ１４１，３１１は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウエアである制御基板Ｂ１４１，３１１の制御プログラムのプログラムコード（実行形式プログラム、中間コードプログラム、ソースプログラム）をコンピュータで読み取り可能に記録した記録媒体を、制御基板Ｂ１４１，３１１に供給し、そのコンピュータ（またはＣＰＵやＭＰＵ）が記録媒体に記録されているプログラムコードを読み出し実行することによっても、達成可能である。
【００８２】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【００８３】
また、制御基板Ｂ１４１，３１１を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【００８４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００８５】
本発明の構成は、例えば装置が故障した場合に、複数設けられている当初設置基板のうちの該当基板を基板ごと交換するような装置に対して適用可能である。
【図面の簡単な説明】
【００８６】
【図１】図１（ａ）は、図４に示す画像形成装置が下位機種である場合の構成において、一部の制御基板Ａ（当初設置基板Ａ）が制御基板Ｂ（交換用制御基板Ｂ）に交換された状態を示すブロック図、図１（ｂ）は、図１（ａ）に示した制御基板Ｂの構成を示すブロック図である。
【図２】図２（ａ）は図４に示す画像形成装置が高速機（上位機種）である場合の製造時の構成を示すブロック図、図２（ｂ）は同画像形成装置が低速機（下位機種）である場合の製造時の構成を示すブロック図である。
【図３】図２（ａ）および図２（ｂ）に示した制御基板Ａ（当初設置基板Ａ）の構成を示すブロック図である。
【図４】本発明の実施の一形態における交換用制御基板を備えた画像形成装置の構造を示す縦断面図である。
【図５】図１（ｂ）に示した制御基板Ｂの動作を示すフローチャートである。
【図６】本発明の実施の他の形態における交換用制御基板Ｂ（制御基板Ｂ）の構成を示すブロック図である。
【図７】図６に示した制御基板Ｂの動作を示すフローチャートである。
【図８】図３に示した制御基板Ａの構成を機能的手段により示すブロック図である。
【図９】図１（ｂ）に示した制御基板Ｂの構成を機能的手段により示すブロック図である。
【図１０】図６に示した制御基板Ｂの構成を機能的手段により示すブロック図である。
【符号の説明】
【００８７】
１    画像形成装置（装着対象装置）
１０１    メイン制御基板Ａｂ（第１制御基板）
１０２    画像処理基板Ａｂ（第１制御基板）
１０３    スキャナ制御基板Ａｂ（第１制御基板）
１０４    プリンタ制御基板Ａｂ（第１制御基板）
１０５    ファックス制御基板Ａｂ（第１制御基板）
１３１    制御基板Ａ（第１制御基板）
１３２    ＣＰＵ（第１制御手段）
１３３    ＲＯＭ（第１制御手段）
１３６    ＲＯＭ（機種情報設定部、第１機種情報設定部）
１４１    制御基板Ｂ(交換用制御基板)
１４２    ＣＰＵ（検出手段、機種情報取得手段、第２制御手段）
１４３    ＲＯＭ（第２制御手段）
１４６    フラッシュメモリ（記憶部）
３１１    制御基板Ｂ(交換用制御基板)
３１２    ＣＰＵ（検出手段、第２制御手段）
３１３    ＲＯＭ（第２制御手段）
３１６    ディップスイッチ(第２機種情報設定部)
【図１】
2008116584.tif 000003
【図２】
2008116584.tif 000004
【図３】
2008116584.tif 000005
【図４】
2008116584.tif 000006
【図５】
2008116584.tif 000007
【図６】
2008116584.tif 000008
【図７】
2008116584.tif 000009
【図８】
2008116584.tif 000010
【図９】
2008116584.tif 000011
【図１０】
2008116584.tif 000012